(57)【要約】【課題】タブレットに原稿を載せることにより、原稿の印刷、原稿と加筆データの印刷、原稿とバーコードの印刷などを行う。【解決手段】  複写したい原稿をタブレット１０に載せて、タブレット１０の操作部３から印刷の操作を指示する。コンピュータ２０内のファイル記憶部２４を検索して、原稿のＩＤに対応した元データファイル、画像ファイル、加筆ファイルの存在を確認し、制御部１は、選択可能な印刷方法（原稿と加筆データの印刷など）をタブレット１の表示装置に表示する。ユーザはこの表示を基に印刷方法を選択する。【選択図】図１
2007249809.tif 000002
【特許請求の範囲】
【請求項１】
タブレットと、該タブレットに接続され、ファイル格納手段を有する処理手段と、該処理手段に接続された印刷手段を備え、印刷する原稿を前記タブレットに載せて、前記タブレットの操作パネルから前記処理手段に対して印刷を指示し、該指示に応じて前記処理手段は前記原稿に対応する画像データを前記ファイル格納手段から検索し、該当する画像データを前記印刷手段により印刷出力することを特徴とするタブレット印刷システム。
【請求項２】
前記原稿を印刷出力する際に、バーコードを印刷するか否かを選択する選択手段を有することを特徴とする請求項１記載のタブレット印刷システム。
【請求項３】
前記原稿を印刷出力する際に、加筆データを印刷するか否かを選択する選択手段を有することを特徴とする請求項１記載のタブレット印刷システム。
【請求項４】
前記原稿を印刷出力する際に、前記原稿が複数ページからなるファイルの内の１ページの場合、載せた原稿のみを印刷するか、または全ページの内、指定したページを印刷するかを選択する選択手段を有することを特徴とする請求項１記載のタブレット印刷システム。
【請求項５】
前記原稿を印刷出力する際に、バーコード印刷を指定した場合、前記原稿のバーコードと同一のバーコードを印刷するか、または異なるバーコードを印刷するかを選択する選択手段を有することを特徴とする請求項１記載のタブレット印刷システム。
【発明の詳細な説明】
【技術分野】
【０００１】
本発明は、タブレットを用いたタブレット印刷システムに関する。
【背景技術】
【０００２】
従来、この種の印刷システムとしては例えば、複写対象となった文書のイメージデータから、当該文書に対応するオリジナル文書ファイルを特定し、そのファイルに基づいて印刷することで画質劣化を防止する方法（特許文献１を参照）、印刷物に付与したＩＤ番号に関連付けて印刷コンテンツ・データと手書きによる書込みデータとを一元的に管理するシステム（特許文献２を参照）、オリジナル原稿または電子文書情報から作成された印刷物におけるオリジナル原稿部分または電子文書情報部分の余白、該印刷物の裏面、または別の印刷媒体に当該印刷物の印刷内容をコード化してそのコード情報を記録し、このコード情報をデコードして画像を復元することにより、繰り返しコピーによる画像劣化を回避し、無限にオリジナル原稿または電子文書情報と同一の画像品質を維持し続けるシステム（特許文献３を参照）などがある。
【０００３】
【特許文献１】特開２００４−２６５３８４号公報
【特許文献２】特開２００４−３０２６１７号公報
【特許文献３】特開２００３−２４４４２４号公報
【特許文献４】特開２００１−１４０９５号公報
【発明の開示】
【発明が解決しようとする課題】
【０００４】
しかし、元ファイルから生成した画像ファイル、加筆データ、バーコードが印刷された原稿を複写する場合、従来、複写機を用いるため、元ファイルから生成した画像ファイル、加筆データ、バーコードのすべてが印刷され、また、複写機に載せた原稿しか印刷できない。
【０００５】
本発明は上記した問題点に鑑みてなされたもので、
本発明の目的は、タブレットに複写したいバーコードが印刷された原稿を載せることにより、加筆データと合成するための画像ファイル部分のみの複写、加筆データのみの複写、バーコードの複写、バーコードに対応する元ファイルのみの複写、元ファイルが複数ページで構成されている場合、タブレット上にのせたバーコードが付与されたページだけでなく、それ以外のページの印刷（例えば全ページ）を印刷するという選択が可能となるタブレット印刷システムを提供することにある。
【課題を解決するための手段】
【０００６】
本発明は、予め入力欄が印刷された印刷原稿を所定の入力面に載置し、筆記用具を用いて前記印刷原稿の入力欄に記入することにより筆記軌跡を座標データとして記憶する手段と、記憶したデータを外部機器に転送可能な入出力手段を備えたタブレットと、印刷原稿の各ページを識別するページ識別手段と、識別するために用いる識別シンボルを生成・印刷可能で前記タブレット上で筆記用具を用いて入力した加筆データと前記印刷原稿を合成する手段を具備するシステムにおいて、ユーザが印刷したい原稿を該タブレットにのせて、該タブレットの操作パネル、または、該タブレットに接続されているコンピュータより、印刷のための操作を行うと、コンピュータに接続されている指定された印刷装置から、印刷したい原稿が出力されることを最も主要な特徴とする。
【発明の効果】
【０００７】
本発明によると、タブレットに載せた原稿のバーコードを読み取ることにより、タブレットに接続されているコンピュータ内から読み取ったバーコードに該当するファイルを特定して、印刷が可能となる。これにより、ファイル名が不明で、ファイルの保存されている場所が特定できない場合でも、バーコードが印刷された原稿をタブレットに載せることにより印刷が可能となる。また、原稿データ、加筆データ、バーコードを必要に応じて、何れかを選択して印刷できる。さらに、ファイル名がわからないＩＤが付与された原稿で元データが複数ページからなるものでもタブレットに載せることにより、印刷が可能となる。
【発明を実施するための最良の形態】
【０００８】
以下、発明の実施の形態について図面により詳細に説明する。
【０００９】
図１は、本発明の実施例の構成を示す。本発明のタブレット印刷システムは、タブレット１０、コンピュータ２０、印刷装置３０からなる。タブレット１０は、制御部１、座標検出、ＩＤ読み取りを行う処理部２、操作部３、メモリ４、信号Ｉ／Ｆ５から構成され、コンピュータ２０は、制御部２１、信号Ｉ／Ｆ２２、ファイル生成部２３、ファイル記憶部２４、印刷出力部２５から構成されている。
【００１０】
上記したタブレットとして、本発明では例えば特許文献４のタブレットを用いる。図５（ａ）は、従来のタブレットの第１の構成を示す。タブレット１００は、載置された印刷原稿への筆記軌跡に対応した座標データを入力する座標入力部１０１と、外部機器との間で座標データ等の各種データの入出力を行う外部入出力部１０２と、座標入力部１０１に入力された座標データおよび外部入出力部１０２から入力された印刷原稿の画像データを記憶する記憶部と、これら各部を制御する制御部と、載置する印刷原稿を留めるクリップ１０５等とから構成される。図５（ｂ）は、従来のタブレットの第２の構成を示す。第２の構成では、タブレット１２０はクリップ１０５の原稿載置面に向かい合う位置に光学式の読取部（スキャナ）１０６を有する。
【００１１】
図４は、ファイル記憶部２４のファイル構成を示す。本発明のファイル構成では、元データファイル名に対応して原稿の全データ（例えば、原稿の全てのページデータ）が元データファイルとして格納され、また、タブレットに載せた原稿（１ページ）の画像データとその原稿に付与されたバーコードが格納され、さらに、タブレットに載せた原稿（１ページ）の画像データとバーコードと加筆データが格納されている。なお、原稿のページを識別するために、前掲した特許文献４と同様に、原稿にページ識別シンボルを印刷しておき、上記した読取部（スキャナ）１０６によりページ識別シンボルを読み取り、原稿の各ページが識別される。
【００１２】
本発明のタブレット印刷システムにおいては、原稿にバーコードが付与され、そのバーコードを読み取ることにより、タブレット上に置いた原稿を印刷する。以下、本発明のタブレット印刷システムを説明する。
【００１３】
複写したい原稿をタブレット１０に載せて、タブレット１０の操作部３から印刷の操作を行うと、タブレット１０内の制御部１は、信号Ｉ／Ｆ５を介して、タブレット１０に接続されているコンピュータ２０内のファイル記憶部２４を検索して、原稿のＩＤに対応した元データファイル、画像ファイル、加筆ファイルの存在を確認する。確認した結果によって、タブレット１０の制御部１は、選択可能な印刷方法をタブレット１に具備する表示装置、またはコンピュータの表示装置に表示する。ここで、タブレット１０内部のメモリ４はＩＤファイル、タブレット上での筆記による加筆データを保存する。また、コンピュータ２０内部のファイル生成部２３は、タブレット１０の加筆データを合成するための画像データを元データから生成する。ファイル記憶部２４は、元データ、元データから生成される画像データ、加筆データ、ＩＤデータを記憶する。制御部２１は、タブレット１０またはコンピュータ２０から操作された印刷方法を受信して、これに対応した動作内容をファイル記憶部２４、印刷出力部２５に送信し、印刷装置３０により印刷出力される。なお、信号Ｉ／Ｆ５、２２はＵＳＢ、またはＲＳ２３２Ｃなどのプロトコルが使用される。
【００１４】
図２は、タブレット上に載せた原稿が印刷されるまでの処理フローチャートを示す。ＩＤが付与された印刷したい原稿をタブレット１０に載せて、タブレット１０の操作部３から印刷を指示すると（ステップ２０１〜２０３）、タブレット１０の制御部１は、ＩＤに一致する加筆データファイルと、ＩＤをコンピュータ２０に転送する（ステップ２０４）。コンピュータの制御部２１は、タブレット１０からのＩＤを受信して、ＩＤと一致するファイルをファイル記憶部２４から探す。コンピュータ２０の制御部２１はファイル記憶部２４にＩＤと一致するファイルが存在する場合（ステップ２０５）、その旨をタブレット１０に送信する。これを受信したタブレット１０の制御部１は、印刷可能な方法をタブレットの表示部に表示する。ユーザはこの表示にもとづいて印刷方法を選択して、印刷出力する（ステップ２０６〜２０８）。
【００１５】
ここでの印刷方法とは、
（１）原稿データのみ、（２）原稿データ＋加筆データ、（３）原稿データ＋加筆データ＋バーコード、（４）原稿データ（全ページ）、（５）全ページの内、指定したページ、（６）原稿データ＋バーコード、（７）加筆データ＋バーコード、（８）加筆データのみ
を印刷する。
【００１６】
ＩＤと一致する画像ファイルがない場合で、ＩＤに対応する元データファイルがある場合は（ステップ２１０）、元データファイルを印刷出力する（ステップ２１１）。ステップ２０６で画像ファイルの元データファイルがない場合、元データファイルを使用しない印刷条件を選択して（ステップ２０９）、印刷出力する（ステップ２０８）。ステップ２１０でＩＤに対応する元データファイルがない場合はエラーを表示して終了する（ステップ２１２）。
【００１７】
図３は、バーコードを印刷した原稿に加筆処理が行われ、コンピュータに加筆ファイルが転送され、合成されるまでの処理フローチャートを示す。タブレット１０上にバーコードが印刷された原稿をのせると（ステップ３０１）、タブレット１０のＩＤ読取り部２が原稿のＩＤを認識する（ステップ３０２）。ここで、ユーザが加筆を行うとタブレット１０の座標検出部２からのデータを加筆データとしてメモリ４に記憶する（ステップ３０３〜３０６）。加筆が終了して、メモリが一杯になるかまたは、ユーザが転送の操作を行うと、加筆データはコンピュータ２０に転送され（ステップ３０８）、コンピュータ２０内部で、ファイル記憶部２４を検索して一致するＩＤのファイルを探して（ステップ３０９）、合成する処理が行われる（ステップ３１０）。一致するファイルがない場合はエラー表示して（ステップ３１１）、加筆データのみをファイル記憶部２４に保存する（ステップ３１２）。
【００１８】
従来、バーコード付きのデータはバーコード付与前のファイル形式から画像ファイル（ビットマップなど）に変換され、原稿のみを印刷する場合、この画像ファイルを印刷することになる。
【００１９】
本発明では、元データファイルから加筆処理、ＩＤ管理を行うために、ファイル変換を行うときに元データファイル名を記憶している。これにより、上記した印刷方法（１）の場合は、コンピュータの記憶部から元データファイルを抽出して印刷処理を行うことができる。さらに（４）の場合、タブレット上には、元データファイルのうち１ページだけを載せるだけで全ページを印刷可能となる。
【００２０】
ＩＤが付与されている原稿を複写する場合、従来は複写機に原稿をセットして複写していた。この方法の場合、原稿に手書きで何か書かれていた場合、複写した原稿には手書きの内容が複写されてしまう。しかし、本発明の場合、複写したい原稿をタブレット上に載せると、タブレットがこの原稿のＩＤを認識して、タブレット内部、及び本タブレットに接続されているコンピュータ内部に認識したＩＤと一致する画像ファイル、元データファイルを探して、その結果により、印刷可能な状態をタブレットの操作画面に表示する。ユーザは表示された内容から印刷内容を選択する。
【００２１】
また、本発明では、ＩＤが付与されている原稿（加筆するためにＩＤを付与して印刷した原稿）の元データファイルが複数ページで構成されている場合、この原稿をタブレットに載せると、タブレットの制御部から、載せた原稿のＩＤと一致するファイルをタブレット内部、接続されているコンピュータ内部へ探しにいく。もし載せた原稿のＩＤと一致する元データファイルがコンピュータ内部に存在した場合、ユーザはタブレットに載せた原稿の元データファイルの全ページを印刷することが選択可能となる。
【００２２】
さらに、本発明では、ＩＤが付与されている原稿を複数人に加筆してもらう場合、この原稿をタブレット上に載せて、複写枚数、ＩＤ番号割付方法、つまり同一ＩＤ番号を印刷するか、載せた原稿と異なるＩＤ番号を通し番号で付与して印刷するかを選択する。タブレットに接続されているコンピュータの制御部はユーザの選択操作内容を受信して、バーコードの印刷を同一バーコードで印刷するようにするか、通し番号で印刷するかを決定する。これを受信したタブレットの制御部は、印刷可能な方法をタブレットの表示部に表示し、ユーザはこの表示に基づいて印刷方法を選択する。
【図面の簡単な説明】
【００２３】
【図１】本発明の実施例の構成を示す。
【図２】タブレット上に載せた原稿が印刷されるまでの処理フローチャートを示す。
【図３】バーコードを印刷した原稿に加筆処理が行われ、コンピュータに加筆ファイルが転送され、合成されるまでの処理フローチャートを示す。
【図４】ファイル記憶部のファイル構成を示す。
【図５】従来のタブレットの構成例を示す。
【符号の説明】
【００２４】
１０  タブレット
２０  コンピュータ
３０  印刷装置
【図１】
2007249809.tif 000003
【図２】
2007249809.tif 000004
【図３】
2007249809.tif 000005
【図４】
2007249809.tif 000006
【図５】
2007249809.tif 000007